(57)【要約】【課題】設定データを保護することができる情報処理装置に関する。【解決手段】情報処理装置は、記憶手段と、情報処理手段と、記録制御手段とを備える。前記記憶手段は、番組処理履歴に基づき選出された第１の番組を記録する第１の記録モードに関する設定データを記憶する。前記情報処理手段は、前記設定データを外部へ出力し、また、外部から前記設定データを受け入れ、受け入れた前記設定データを前記記憶手段へ登録する。前記記録制御手段は、前記第１の番組に関する情報と前記設定データとに基づき、前記第１の記録モードの実行を制御する。【選択図】図１
2014153932.tif 000002
【特許請求の範囲】
【請求項１】
番組処理履歴に基づき選出された第１の番組を記録する第１の記録モードに関する設定データを記憶する記憶手段と、
前記設定データを外部へ出力し、また、外部から前記設定データを受け入れ、受け入れた前記設定データを前記記憶手段へ登録する情報処理手段と、
前記第１の番組に関する情報と前記設定データとに基づき、前記第１の記録モードの実行を制御する記録制御手段と、
を備える情報処理装置。
【請求項２】
前記情報処理手段は、前記記憶手段のファームウェアのアップデート又は前記記憶手段の初期化に対応して、前記設定データを前記外部記憶装置へ出力する請求項１の情報処理装置。
【請求項３】
前記情報処理手段は、前記設定データを前記外部記憶装置へ出力した後、アップデート又は初期化を実行する請求項２の情報処理装置。
【請求項４】
前記情報処理手段は、アップデート又は初期化の実行後、前記外部記憶装置から前記設定データを受け入れ、受け入れた前記設定データを前記記憶手段へ登録する請求項３の情報処理装置。
【請求項５】
前記情報処理手段は、前記第１の記録モードの継続指示に対応して、前記設定データを前記外部記憶装置へ出力する請求項２乃至４の何れか一つの情報処理装置。
【請求項６】
前記情報処理手段は、アップデート又は初期化に対応して、前記第１の記録モードの継続意志を確認し、継続指示に対応して、前記設定データを前記外部記憶装置へ出力する請求項２乃至５の何れか一つの情報処理装置。
【請求項７】
前記情報処理手段は、前記外部記憶装置を認証し、前記外部記憶装置から前記設定データを受け入れる請求項４の情報処理装置。
【請求項８】
前記記録制御手段は、受信した前記第１の番組に関する情報と前記第１の記録モードの継続を指示する第１の指示情報を含む前記設定データとに基づき、前記第１の番組を前記外部記憶装置へ記録するように制御する請求項２乃至７の何れか一つの情報処理装置。
【請求項９】
前記記録制御手段は、第２の番組の記録予約情報に基づき前記第２の番組を前記外部記憶装置へ記録する第２の記録モードの実行を制御する請求項２乃至８の何れか一つの情報処理装置。
【請求項１０】
前記記録制御手段は、前記第１の番組の記録に対応し、前記外部記憶装置へ前記第１の番組が前記第１の記録モードにより記録されたことを示す第１のメタ情報を前記外部記憶装置へ記録するように制御する請求項２乃至９の何れか一つの情報処理装置。
【請求項１１】
前記記録制御手段は、前記第２の番組の記録に対応し、前記外部記憶装置へ前記第２の番組が前記第２の記録モードにより記録されたことを示す第２のメタ情報を前記外部記憶装置へ記録するように制御する請求項９の情報処理装置。
【請求項１２】
前記番組処理履歴は、外部情報処理装置により収集される情報であり、
前記記録制御手段は、前記外部情報処理装置から送信される前記第１の番組に関する情報を受信し、前記第１の番組に関する情報と前記設定データとに基づき、前記第１の記録モードの実行を制御し、また、入力される前記記録予約情報に基づき、前記第２の記録モードの実行を制御する請求項９の情報処理装置。
【請求項１３】
番組処理履歴に基づき選出された第１の番組を記録する第１の記録モードに関する設定データを記憶し、
前記設定データを外部へ出力し、また、外部から前記設定データを受け入れ、受け入れた前記設定データを前記記憶手段へ登録し、
前記第１の番組に関する情報と前記設定データとに基づき、前記第１の記録モードの実行を制御する情報処理方法。
【発明の詳細な説明】
【技術分野】
【０００１】
本発明の実施形態は、情報処理装置及び情報処理方法に関する。
【背景技術】
【０００２】
番組放送を記録することができるレコーダ及びデジタルＴＶ等が普及している。例えば、レコーダ及びデジタルＴＶ等の電子機器は、番組記録に関する予約情報に基づき番組を記録し、また、ネットワークを介して更新データを受信し、記憶しているデータを更新データにより自動更新することもできる。
【先行技術文献】
【特許文献】
【０００３】
【特許文献１】特開２００９−１６４９０２号公報
【発明の概要】
【発明が解決しようとする課題】
【０００４】
記憶済みのデータが更新データにより自動更新されることにより、不都合が生じることもある。例えば、記憶済みのデータが設定データを含む場合、自動更新により設定データが初期化されてしまうことがある。
【０００５】
本発明の目的は、設定データを保護することができる情報処理装置及び情報処理方法に関する。
【課題を解決するための手段】
【０００６】
実施形態の情報処理装置は、記憶手段と、情報処理手段と、記録制御手段とを備える。前記記憶手段は、番組処理履歴に基づき選出された第１の番組を記録する第１の記録モードに関する設定データを記憶する。前記情報処理手段は、前記設定データを外部へ出力し、また、外部から前記設定データを受け入れ、受け入れた前記設定データを前記記憶手段へ登録する。前記記録制御手段は、前記第１の番組に関する情報と前記設定データとに基づき、前記第１の記録モードの実行を制御する。
【図面の簡単な説明】
【０００７】
【図１】実施形態に係る録画再生装置と外部記憶装置（ＵＳＢ ＨＤＤ）により保持されるデータの一例を示す図である。
【図２】実施形態に係る外部記憶装置（ＵＳＢ ＨＤＤ）の登録処理の一例を示すフローチャートである。
【図３】実施形態に係る設定画面の一例を示す図である。
【図４】実施形態に係るフラッシュメモリの初期化処理の一例を示すフローチャートである。
【図５】実施形態に係る案内画面の一例を示す図である。
【図６】実施形態に係る起動処理の一例を示すフローチャートである。
【図７】実施形態に係る録画再生装置の概略構成の一例を示す図である。
【図８】実施形態に係る録画再生装置と外部記憶装置（ＵＳＢ ＨＤＤ）により保持されるデータの遷移を説明するための図である。
【図９】実施形態に係る録画再生装置と外部記憶装置（ＵＳＢ ＨＤＤ）により保持されるデータの遷移を説明するための図である。
【図１０】実施形態に係る録画再生装置と外部記憶装置（ＵＳＢ ＨＤＤ）により保持されるデータの遷移を説明するための図である。
【図１１】実施形態に係る録画再生装置と外部記憶装置（ＵＳＢ ＨＤＤ）により保持されるデータの遷移を説明するための図である。
【図１２】実施形態に係る録画再生装置と複数の外部記憶装置（ＵＳＢ ＨＤＤ）との接続例を示す図である。
【図１３】実施形態に係る初期化モードの選択画面の一例を示す図である。
【発明を実施するための形態】
【０００８】
以下、実施形態について図面を参照して説明する。
【０００９】
図７は、実施形態に係る記録再生装置（情報処理装置）の概略構成の一例を示す図である。本実施形態では、映像表示部１４を備えた記録再生装置について説明するが、映像表示部１４は必須構成ではない。例えば、記録再生装置がデジタルレコーダ又はコンピュータの本体等の場合には、記録再生装置は映像表示部１４を備えず、各種ケーブル等を介して、外部の映像表示部に対して表示情報を出力する。
【００１０】
図７を参照して、記録再生装置１０１について説明する。図７に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１１】
そして、このチューナ４９で選択された放送信号は、ＰＳＫ（phase shift keying）復調器５０に供給されて、デジタルの映像信号及び音声信号に復調された後、信号処理部５１に出力される。
【００１２】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１３】
そして、このチューナ５４で選択された放送信号は、ＯＦＤＭ（orthogonal frequency division multiplexing）復調器５５に供給されて、デジタルの映像信号及び音声信号に復調された後、上記信号処理部５１に出力される。
【００１４】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調器５７に供給されてアナログの映像信号及び音声信号に復調された後、上記信号処理部５１に出力される。
【００１５】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００１６】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、記録再生装置１０１の外部から入力可能とするものである。
【００１７】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００１８】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力を組み合わせて出力することができる。
【００１９】
そして、グラフィック処理部５８から出力されたデジタルの映像信号は、映像処理部６２に供給される。映像処理部６２により処理された映像信号は、映像表示部１４に供給され、また出力端子にも供給される。映像表示部１４は、映像信号に基づく映像を表示し、出力端子に対して外部機器が接続されると、出力端子に供給された映像信号は、外部機器へ入力される。
【００２０】
また、上記音声処理部５９は、入力されたデジタルの音声信号を、前記スピーカ１５で再生可能なアナログ音声信号に変換した後、スピーカ１５に出力して音声出力させるとともに、出力端子を介して外部に導出させる。
【００２１】
なお、録画再生装置１０１の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報（コード）に基づき、操作内容が反映されるように各部をそれぞれ制御している。
【００２２】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納されるフラッシュメモリ６８とを利用している。
【００２３】
また、上記制御モジュール６５は、通信Ｉ／Ｆ７３を介して情報を送受信することができる。さらに、上記制御モジュール６５は、ＵＳＢ Ｉ／Ｆ７６を介してＵＳＢ対応機器（例えばＵＳＢ ＨＤＤ１０２）と情報伝送を行なうことができる。
【００２４】
さらに、上記制御モジュール６５は、フラッシュメモリ６８に記憶された録画予約リストに含まれた録画予約情報を参照し、受信信号に基づくコンテンツ（番組）の録画動作（第２の記録モード）を制御する。録画先としては、例えば内蔵ＨＤＤ１０１、ＵＳＢ Ｉ／Ｆ７６を介して接続されたＵＳＢ ＨＤＤ１０２がある。
【００２５】
以下、図７に示す記録再生装置による番組記録処理（第１の記録モード及び第２の記録モード）について説明する。
【００２６】
第１の記録モードは、本実施形態では自動番組録画、自動録画、又はおまかせ録画などと称され、サーバ２００から提供（送信）される番組（第１の番組と仮定する）に関する情報（番組識別情報（番組ＩＤ）、チャンネル番号、放送開始時間、放送時間、放送終了時間、番組タイトル等）に基づき、番組（第１の番組）を記録するモードである。録画再生装置１０１は、通信Ｉ／Ｆ７３を介して、動作ログ（再生ログ、記録ログ等の番組処理履歴）及び機器識別情報（録画再生装置１０１のＩＤ）をサーバ２００へ送信（アップロード）する。サーバ２００は、録画再生装置１０１から動作ログ及び機器識別情報を受信し、機器識別情報に対応付けて動作ログを管理する。例えば、動作ログに含まれる再生ログは、再生された番組の番組識別情報、番組タイトル、登場人物名、再生シーン情報（再生開始時間と再生時間）、再生回数等の情報を含む。また、動作ログに含まれる記録ログは、記録された番組の番組識別情報、番組タイトル、登場人物名、記録シーン情報（記録開始時間と記録時間）、記録回数等の情報を含む。従って、サーバ２００は、機器識別情報に対応付けて動作ログを管理することにより、録画再生装置１０１によりどのような番組が再生されたか、及びどのような番組が記録されたかの番組処理履歴を詳細に分析することができる。つまり、サーバ２００は、録画再生装置１０１のユーザの嗜好性を詳細に分析することができる。例えば、映画の再生、記録が多いことが判れば、サーバ２００は、全てのコンテンツから、映画を選出し、録画再生装置１０１に対して、お薦め記録番組として、選出した映画番組に関する情報（番組識別情報（番組ＩＤ）、チャンネル番号、放送開始時間、放送時間、放送終了時間、番組タイトル等）を送信することができる。なお、本実施形態では、サーバ２００が履歴、嗜好性を分析するケースについて説明するが、録画再生装置１０１が履歴、嗜好性を分析してもよい。録画再生装置１００が、履歴、嗜好性を分析する場合、録画再生装置１００が、お薦め記録番組も選出する。録画再生装置１０１は、サーバ２００からのお薦め記録番組に関する情報を受信し、制御モジュール６５は、第１の記録モードが実行されている場合（第１の記録モードが有効に設定されている場合）、受信したお薦め記録番組に関する情報と後述する設定データ（第１の記録モードの実行又は継続を示す情報を含む設定データ）とに基づき、指定された記録先（例えばＵＳＢ ＨＤＤ１０２）に対して、番組（第１の番組）を記録することができる。つまり、録画再生装置１０１は、ユーザの嗜好性に応じた番組（第１の番組）を自動録画することができる。
【００２７】
また、サーバ２００は、複数の録画再生装置１０１からの動作ログを収集し、人気番組ランキング等を生成し、各録画再生装置１０１に対してお薦め記録番組として人気番組に関する情報を送信することもできる。これにより、録画再生装置１０１の制御モジュール６５は、第１の記録モードが実行されている場合（第１の記録モードが有効に設定されている場合）、受信したお薦め記録番組に関する情報と後述する設定データ（第１の記録モードの実行又は継続を示す情報を含む設定データ）とに基づき、指定された記録先（例えばＵＳＢ ＨＤＤ１０２）に対して、番組（第１の番組）を記録することができる。つまり、録画再生装置１０１は、多くのユーザ（不特定多数のユーザ）の嗜好性に応じた番組（第１の番組）を自動録画することができる。
【００２８】
第２の記録モードは、本実施形態ではユーザ番組録画、ユーザ録画などと称され、ユーザが選択（指定）した番組（第２の番組と仮定する）を記録するモードである。例えば、ユーザが、リモートコントローラ１７等を介して、映像表示部１４に表示される電子番組ガイドから番組（第２の番組）を選択し、録画を指定すると、選択された番組の録画予約情報がフラッシュメモリ６８に登録される。制御モジュール６５は、録画予約情報に従い、指定された記録先（例えばＵＳＢ ＨＤＤ１０２）に対して、選択された番組（第２の番組）を録画する。例えば、電子番組ガイドは、縦軸方向に沿って時間が遷移し、横軸方向に沿ってチャンネル（チャンネル番号）が遷移する構成で、時間とチャンネルに対応する複数の番組セルを含む。ユーザは、リモートコントローラ１７等を介して、映像表示部１４に表示される電子番組ガイドから番組セルを選択することができる。録画予約情報は、番組識別情報（番組ＩＤ）、チャンネル番号、放送開始時間、放送時間、放送終了時間、番組タイトル等を含む。
【００２９】
次に、図１及び図２を参照して、ＵＳＢ ＨＤＤの登録処理について説明する。
【００３０】
録画再生装置１０１の制御モジュール６５が、ＵＳＢ Ｉ／Ｆ７６を介して、ＵＳＢ ＨＤＤ１０２を検出し(ＳＴ１０１)、検出したＵＳＢ ＨＤＤ１０２を録画先（録画機器）として登録する場合(ＳＴ１０２、ＹＥＳ)、例えば、ＵＳＢ ＨＤＤ１０２に対してフォーマット処理を施し、ＵＳＢ ＨＤＤ１０２に関する情報をフラッシュメモリ６８の接続デバイスデータ領域に書き込む(ＳＴ１０３)。さらに、制御モジュール６５は、録画再生装置１０１に関する情報をＵＳＢ ＨＤＤ１０２の接続録画再生装置情報ファイルに書き込む(ＳＴ１０４)。
【００３１】
録画再生装置１０１は、接続し登録したＵＳＢ ＨＤＤ１０２に番組を書き込む。上記したように、制御モジュール６５は、録画予約情報に基づき、番組を録画する第２の記録モードの実行を制御し、録画先として指定されたＵＳＢ ＨＤＤ１０２に対して、番組を録画する。このようにして記録された番組をユーザー録画番組と称する。例えば、録画予約情報は、ユーザが電子番組ガイドから選択した番組を録画するための情報であり、選択した番組に関する情報（番組識別情報（番組ＩＤ）、チャンネル番号、放送開始時間、放送時間、放送終了時間、番組タイトル等）を含む。或いは、録画予約情報は、ユーザが設定した情報（チャンネル番号、録画開始時間、録画時間）を含む。
【００３２】
また、制御モジュール６５は、サーバ２００からのお薦め記録番組に関する情報に基づき、番組を録画する第１の記録モードの実行を制御し、録画先として指定されたＵＳＢ ＨＤＤ１０２に対して、番組（自動録画番組ファイル）を録画する。
【００３３】
また、制御モジュール６５は、ＵＳＢ ＨＤＤ１０２に対して、第１の記録モードにより記録された番組（第１の番組）に関連する関連情報（第１の関連情報）も記録する。第１の関連情報（自動録画番組メタ情報ファイル）は、第１の番組が第１の記録モードにより記録されたことを示す情報（ユーザ録画番組か自動録画番組かを区別するための情報）を含む。また、第１の番組の記録データ（自動録画番組ファイル）と第１の関連情報（自動録画番組メタ情報ファイル）とは対応付けて管理される。
【００３４】
また、制御モジュール６５は、ＵＳＢ ＨＤＤ１０２に対して、第２の記録モードにより記録された番組（第２の番組）に関連する関連情報（第２の関連情報）も記録する。第２の関連情報（ユーザ録画番組メタ情報ファイル）は、第２の番組が第２の記録モードにより記録されたことを示す情報（ユーザ録画番組か自動録画番組かを区別するための情報）を含む。また、第２の番組の記録データ（ユーザ録画番組ファイル）と第２の関連情報（ユーザ録画番組メタ情報ファイル）とは対応付けて管理される。
【００３５】
次に、第１の記録モードに関する設定（設定データ）について説明する。ユーザは、リモートコントローラ１７等を介して、図３に示すおまかせ録画設定画面から各種設定を入力することができ、制御モジュール６５は、入力された設定を含む設定データをフラッシュメモリ６８の自動録画設定データ領域に書き込む。図８は、設定データを含む自動録画設定データ領域を格納したフラッシュメモリ６８の一例を示す図である。
【００３６】
例えば、自動的に選択されたお薦め記録番組の記録により、ＵＳＢ ＨＤＤ１０２の記録領域が無制限に消費されないように、ユーザーが自動録画の許可／不許可と自動録画に割り当てる容量などを選択できる。制御モジュール６５は、自動録画への割り当て容量などの情報を含む設定データをフラッシュメモリ６８の自動録画設定データ領域に格納する。
【００３７】
次に、図４を参照して、初期化処理について説明する。
【００３８】
録画再生装置１０１の制御モジュール６５は、所定のタイミングで、フラッシュメモリ６８の自動録画設定データ領域の設定データを読み込み(ＳＴ２０１)、ＵＳＢ ＨＤＤ１０２の自動録画設定ファイルに設定データを書き込む(ＳＴ２０２)。即ち、制御モジュール６５は、所定のタイミングで、設定データをＵＳＢ ＨＤＤ１０２へ出力する。図９は、フラッシュメモリ６８の自動録画設定データ領域の設定データを含む自動録画設定ファイルを格納したＵＳＢ ＨＤＤ１０２の一例を示す図である。
【００３９】
例えば、所定のタイミングとは、初期化の指示を受け、初期化を実行する前のタイミングである。或いは、所定のタイミングとは、ファームウェアのアップデートの指示を受け、アップデートを実行する前のタイミングである。
【００４０】
ＵＳＢ ＨＤＤ１０２の自動録画設定ファイルに設定データを書き込んでから（図９）、制御モジュール６５は、フラッシュメモリ６８をフォーマットする(ＳＴ２０３)。つまり、録画再生装置１０１は、フラッシュメモリ６８のファームウェアのアップデート等により、アップデートによるフラッシュメモリ６８の使用するアドレスの変更に対応するため、自身の持つフラッシュメモリ６８をクリアする処理を行う（図１０）。その後、制御モジュール６５は、再起動を行う(ＳＴ２０４)。
【００４１】
次に、図５、図６を参照して、起動処理について説明する。
【００４２】
録画再生装置１０１の制御モジュール６５は、再起動後(ＳＴ３０１)、カーネルからＵＳＢ ＨＤＤ１０２の接続を検出するイベントを受信した場合には(ＳＴ３０２)、接続録画再生装置情報ファイルの存在を確認する(ＳＴ３０３)。
【００４３】
制御モジュール６５が、ＵＳＢ ＨＤＤ１０２から接続録画再生装置情報ファイルを検出すると(ＳＴ３０３、ＹＥＳ)、接続録画再生装置情報ファイルに基づきＵＳＢ ＨＤＤ１０２を認証し、ＵＳＢ ＨＤＤ１０２を再登録し(ＳＴ３０４、ＹＥＳ)、ＵＳＢ ＨＤＤ１０２の情報をフラッシュメモリ６８の接続デバイスデータ領域に書き込む(ＳＴ３０５)。
【００４４】
その後、制御モジュール６５は、ＵＳＢ ＨＤＤ１０２内に自動録画設定情報ファイルが存在するか確認し、ＵＳＢ ＨＤＤ１０２内に自動録画設定情報ファイルが存在する場合には(ＳＴ３０６、ＹＥＳ)、自動録画を復旧させるかどうかをユーザーに選択させる。例えば、制御モジュール６５は、図５に示す案内画面を出力し、ユーザが、リモートコントローラ１７等を介して、図５に示す案内画面（おまかせ録画設定の継続意志の確認画面）から、おまかせ録画設定の復旧を肯定すると(ＳＴ３０７、ＹＥＳ)、即ち、おまかせ録画設定の継続を指示すると、制御モジュール６５は、ＵＳＢ ＨＤＤ１０２内の自動録画設定ファイルを読み込み、フラッシュメモリ６８の自動録画設定データ領域に書き込み(ＳＴ３０８)、さらに、ＵＳＢ ＨＤＤ１０２内の自動録画番組メタ情報ファイル、ユーザ録画番組メタ情報ファイルを読み込み、これら自動録画番組メタ情報ファイル、ユーザ録画番組メタ情報ファイルを解析モジュール６９に送信し(ＳＴ３０９)、解析結果に基づき番組を録画（録画予約）する（図１１）。
【００４５】
ユーザが、リモートコントローラ１７等を介して、図５に示す案内画面から、おまかせ録画設定の復旧を否定すると(ＳＴ３０７、ＮＯ)、制御モジュール６５は、ＵＳＢ ＨＤＤ１０２内の自動録画番組メタ情報ファイルに対して、自動削除フラグを設定し、ユーザ録画の容量が圧迫される場合には録画中に優先的に、自動録画番組メタ情報ファイル、自動録画番組を削除し、ユーザ録画番組をより多く録画できるようにする(ＳＴ３１０)。
【００４６】
本実施形態では、録画再生装置１０１が、解析モジュール６９を備えるケースについて説明したが、解析モジュール６９（解析サーバ）が、ネットワーク上に存在しても良い。そのケースでは、自動録画の復旧をユーザが望んだ際、自動録画設定の保存後、ネットワークの設定を行い、自動録画番組メタ情報ファイル、ユーザ録画番組メタ情報ファイルをネットワーク上の解析モジュール６９（解析サーバ）に送信する。
【００４７】
ユーザーが自動録画の復旧を希望しない場合には、制御モジュール６５が、復旧を希望しない指示に基づき、自動録画番組を自動的に削除してもよい。これにより、ユーザ録画用の記憶容量を増やすことができる。或いは、ユーザーが自動録画の復旧を希望しない場合に、制御モジュール６５が、自動録画番組を削除せずにそのまま残し、自動録画番組を視聴できるようにしてもよい。
【００４８】
上記説明では、外部記憶装置として、１台のＵＳＢ ＨＤＤ１０２を第１及び第２の記録モードによる番組の記録先とし、また設定データの記録先（退避先）とするケースについて説明したが、図１２に示すように複数台の外部記憶装置を番組の記録先とし、少なくとも１台の外部記憶装置を設定データの記録先（退避先）としてもよい。
【００４９】
例えば、複数台の外部記憶装置のうちの１台の外部記憶装置を第１の記録モードによる番組の記録先とし、複数台の外部記憶装置を第２の記録モードによる番組の記録先とし且つ設定データの記録先（待機先）とする。つまり、第１の記録モードによる番組の記録先は１台の外部記憶装置であるが、この第１の記録モードに関する設定データの記録先は複数の外部記憶装置とする。
【００５０】
或いは、複数台の外部記憶装置を第１及び第２の記録モードによる番組の記録先とし、且つ設定データの記録先（待機先）とする。つまり、第１の記録モードによる番組の記録先及び第２の記録モードによる番組の記録先が複数台の外部記憶装置であり、複数台の外部記憶装置が設定データの記録先となる。
【００５１】
また、図１３に示すように、初期化モードを選択可能にしてもよい。例えば、初期化の指示に対応して、制御モジュール６５は、図１３に示す初期化モード選択画面を出力する。ユーザは、リモートコントローラ１７等を介して、初期化モード１（例えばチャンネル情報等の初期化モード）を選択すると、フラッシュメモリ６８の一部領域（第１の領域）を初期化する。第１の領域は、自動録画設定データ領域、接続デバイスデータ領域と異なる領域とする。従って、初期化モード１が選択され初期化が実行されても、設定データ等は消去されない。
【００５２】
また、ユーザは、リモートコントローラ１７等を介して、初期化モード２を選択すると、フラッシュメモリ６８の一部領域（第２の領域）を初期化する。第２の領域は、自動録画設定データ領域、接続デバイスデータ領域と異なる領域とする。従って、初期化モード２が選択され初期化が実行されても、設定データ等は消去されない。
【００５３】
また、ユーザは、リモートコントローラ１７等を介して、初期化モード３（全初期化）を選択すると、フラッシュメモリ６８の全領域を初期化する。従って、初期化モード３が選択され初期化が実行されると、設定データ等は消去されてしまう。そこで、制御モジュール６５は、初期化モード３の選択に対応して、おまかせ録画設定を残すか否かを確認する画面を出力する。ユーザは、リモートコントローラ１７等を介して、おまかせ録画設定を残すことを肯定する指示を入力すると、図４に示す初期化処理を実行する。つまり、制御モジュール６５は、この指示の入力に応じて、フラッシュメモリ６８の自動録画設定データ領域の設定データ等を読み込み、ＵＳＢ ＨＤＤ１０２の自動録画設定ファイルに設定データ等を書き込む。
【００５４】
以下、本実施形態についてまとめる。
【００５５】
（１）実施形態に係る録画再生装置は、所定のタイミングで、自動録画に関する情報（設定データ）をＵＳＢ ＨＤＤ等の外部記憶装置へ転送し、外部記憶装置が自動録画に関する情報を保存し、さらに、録画再生装置に関する情報もＵＳＢ ＨＤＤ等の外部記憶装置へ転送し、外部記憶装置が録画再生装置に関する情報を保存する。これにより、録画再生装置は、ファームウェアのアップデートによりフラッシュメモリが初期化された場合でも、再設定無しで、以前に保有していた自動録画に関する情報を再度保持することができ、自動録画を復旧することができる。また、録画再生装置が、自動録画に関する情報をネットワークでは無い所に保持する事により、ネットワーク設定が行われていない起動直後に設定を復旧させることができる。
【００５６】
（２）実施形態に係る録画再生装置は、自動録画を継続するか否かの指示に基づき、自動録画を復旧するか否かを判断する。ユーザは、難しいことを考えずに、自動録画を継続したい場合には、その旨の指示を出すだけで、自動録画が復旧される。例えば年末の時期などユーザが選択して録画できる番組が多い時期には自動録画を辞めてユーザ録画に使用できる領域を増やすことなどが考えられる。
【００５７】
（３）実施形態に係る録画再生装置は、初期化後に自動録画に関する情報を削除するかを選択する機会を提供するので、ユーザの希望に応じて自動録画に関する情報を削除したり、又は残したりすることができる。
【００５８】
本実施形態により、初期化・ファームウェアのアップデート後にもユーザが自動録画を続けたい場合にはより少ない手順で設定をロードする事が出来、既に録画済みの自動録画の視聴や解析サーバへの情報提供をスムーズに行う事が出来る。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
６５…制御モジュール、１０１…録画再生装置、１０２…ＵＳＢ ＨＤＤ
【図１】
2014153932.tif 000003
【図２】
2014153932.tif 000004
【図３】
2014153932.tif 000005
【図４】
2014153932.tif 000006
【図５】
2014153932.tif 000007
【図６】
2014153932.tif 000008
【図７】
2014153932.tif 000009
【図８】
2014153932.tif 000010
【図９】
2014153932.tif 000011
【図１０】
2014153932.tif 000012
【図１１】
2014153932.tif 000013
【図１２】
2014153932.tif 000014
【図１３】
2014153932.tif 000015